(57)【要約】【課題】袋とじされた冊子形式の原稿の状態を事前に確認することを目的とする。【解決手段】複数頁に亘る原稿の画像（原稿画像）を読み取って画像データに変換する画像読取部と、  前記画像読取部から出力された画像データを記憶する記憶部と、  前記記憶部に記憶された画像データに基づいて前記原稿画像を表示する表示部と、  前記原稿の袋とじの開始ページ及び終了ページに関する指示情報を受け付ける操作部と、  前記画像読取部、前記記憶部、前記操作部及び前記表示部を制御する制御部とを具備し、前記制御部は、前記操作部が袋とじの開始ページ及び終了ページに関する指示情報を受け付けると、当該指示情報及び前記記憶部に記憶された画像データに基づいて、袋とじされた冊子形式の原稿画像を前記表示部にプレビュー表示させる。【選択図】図１
2008276096.tif 000002
【特許請求の範囲】
【請求項１】
複数頁に亘る原稿の画像（原稿画像）を読み取って画像データに変換する画像読取部と、
前記画像読取部から出力された画像データを記憶する記憶部と、
前記記憶部に記憶された画像データに基づいて前記原稿画像を表示する表示部と、
前記原稿の袋とじの開始ページ及び終了ページに関する指示情報を受け付ける操作部と、
前記画像読取部、前記記憶部、前記操作部及び前記表示部を制御する制御部とを具備し、
前記制御部は、前記操作部が袋とじの開始ページ及び終了ページに関する指示情報を受け付けると、当該指示情報及び前記記憶部に記憶された画像データに基づいて、袋とじされた冊子形式の原稿画像を前記表示部にプレビュー表示させることを特徴とする画像読取装置。
【請求項２】
前記操作部はプレビュー表示の切り替え指示をも受け付け、
前記制御部は、前記操作部がプレビュー表示の切り替え指示を受け付けると、袋とじされた冊子形式の原稿画像を、袋とじ部位を閉じた状態から開いた状態に切り替えて表示させることを特徴とする請求項１記載の画像読取装置。
【請求項３】
請求項１または２記載の画像読取装置を具備することを特徴とする画像形成装置。
【請求項４】
電子機器に搭載され、当該電子機器に接続された印刷装置を制御する印刷制御プログラムであって、
前記印刷装置に印刷ジョブを出力する際に、前記電子機器の操作部が原稿の袋とじに関する指示情報を受け付けたか否かを判断する処理と、
前記指示情報を受け付けると、当該指示情報及び前記電子機器の記憶部に記憶された複数頁に亘る原稿の画像（原稿画像）の画像データに基づいて、袋とじされた冊子形式の原稿画像を前記電子機器の表示部にプレビュー表示させる処理とを含む
ことを特徴とする印刷制御プログラム。
【請求項５】
前記操作部がプレビュー表示の切り替え指示を受け付けた否かを判断する処理と、
前記操作部がプレビュー表示の切り替え指示を受け付けると、袋とじされた冊子形式の原稿画像を、袋とじ部位を閉じた状態から開いた状態に切り替えて表示させる処理とをさらに含むことを特徴とする請求項４記載の印刷制御プログラム。
【発明の詳細な説明】
【技術分野】
【０００１】
本発明は、画像読取装置、画像形成装置及び印刷制御プログラムに関する。
【背景技術】
【０００２】
下記特許文献１には、用紙に対する印字範囲をレイアウト表示する際において、書式情報に袋とじ印字が指定されている場合には、当該袋とじ印字の指定に基づいて袋とじ位置を示すマークを表示し、以って印字イメージを視覚的に把握させる書式設定装置が開示されている。
一方、下記特許文献２には、文章の印字イメージを視覚的に表示する文章表示装置が開示されている。
【特許文献１】特開平４−１４８４６８号公報
【特許文献２】特開昭６０−２６３２２５号公報
【発明の開示】
【発明が解決しようとする課題】
【０００３】
ところで、上記各従来技術では、袋とじ印字の結果得られた原稿の仕上がりイメージ、つまり袋とじ印字の結果得られた原稿を冊子形式で製本処理した状態を事前に確認することができなかった。このため、実際に印刷し、製本処理した段階でないと、仕上がり状態を確認することができなかった。
【０００４】
本発明は、上述した事情を鑑みたものであり、袋とじされた冊子形式の原稿の状態を事前に確認することを目的とするものである。
【課題を解決するための手段】
【０００５】
上記目的を達成するために、本発明では、画像読取装置に係る第１の解決手段として、
複数頁に亘る原稿の画像（原稿画像）を読み取って画像データに変換する画像読取部と、
前記画像読取部から出力された画像データを記憶する記憶部と、
前記記憶部に記憶された画像データに基づいて前記原稿画像を表示する表示部と、
前記原稿の袋とじの開始ページ及び終了ページに関する指示情報を受け付ける操作部と、
前記画像読取部、前記記憶部、前記操作部及び前記表示部を制御する制御部とを具備し、
前記制御部は、前記操作部が袋とじの開始ページ及び終了ページに関する指示情報を受け付けると、当該指示情報及び前記記憶部に記憶された画像データに基づいて、袋とじされた冊子形式の原稿画像を前記表示部にプレビュー表示させるという手段を採用する。
【０００６】
本発明では、画像読取装置に係る第２の解決手段として、上記第１の解決手段において、前記操作部はプレビュー表示の切り替え指示をも受け付け、
前記制御部は、前記操作部がプレビュー表示の切り替え指示を受け付けると、袋とじされた冊子形式の原稿画像を、袋とじ部位を閉じた状態から開いた状態に切り替えて表示させるという手段を採用する。
【０００７】
また、本発明では、画像形成装置に係る第１の解決手段として、
上記第１または第２の画像読取装置を具備するという手段を採用する。
【０００８】
さらに、本発明では、印刷制御プログラムに係る第１の解決手段として、電子機器に搭載され、当該電子機器に接続された印刷装置を制御する印刷制御プログラムであって、
前記印刷装置に印刷ジョブを出力する際に、前記電子機器の操作部が原稿の袋とじに関する指示情報を受け付けたか否かを判断する処理と、
前記指示情報を受け付けると、当該指示情報及び前記電子機器の記憶部に記憶された複数頁に亘る原稿の画像（原稿画像）の画像データに基づいて、袋とじされた冊子形式の原稿画像を前記電子機器の表示部にプレビュー表示させる処理とを含むという手段を採用する。
【０００９】
本発明では、印刷制御プログラムに係る第２の解決手段として、上記第１の解決手段において、
前記操作部がプレビュー表示の切り替え指示を受け付けた否かを判断する処理と、
前記操作部がプレビュー表示の切り替え指示を受け付けると、袋とじされた冊子形式の原稿画像を、袋とじ部位を閉じた状態から開いた状態に切り替えて表示させる処理とをさらに含むという手段を採用する。
【発明の効果】
【００１０】
本発明によれば、袋とじの開始ページ及び終了ページに関する指示情報と原稿の画像データとに基づいて、袋とじされた冊子形式の原稿画像をプレビュー表示する為、袋とじ印字の結果得られた原稿を冊子形式で製本処理した状態を事前に確認することができる。
【発明を実施するための最良の形態】
【００１１】
以下、図面を参照して、本発明の一実施形態について説明する。
図１は、本実施形態に係る複写機Ａの機能ブロック図である。複写機Ａは、ＣＰＵ(Central Processing Unit)１、ＲＯＭ(Read Only Memory)２、ＲＡＭ(Random Access Memory)３、各種センサ群４、用紙搬送部５、画像読取部６、読取画像データ記憶部７、画像形成部８、操作表示部９を備えている。なお、ＣＰＵ１、ＲＯＭ２及びＲＡＭ３が、本発明における制御部を構成している。
【００１２】
ＣＰＵ１は、ＲＯＭ２に記憶されている制御プログラムや、各種センサ群４から入力される検出信号、読取画像データ記憶部７に記憶されている画像読取部６によって読み取った原稿の画像データ、操作表示部９から入力される操作信号に基づいて複写機Ａの全体動作を制御する。
【００１３】
ＲＯＭ２は、ＣＰＵ１で実行される制御プログラムやその他のデータを記憶する不揮発性メモリである。
ＲＡＭ３は、ＣＰＵ１が制御プログラムを実行して各種動作を行う際に、データの一時保存先となるワーキングエリアとして用いられる揮発性メモリである。
各種センサ群４は、例えば用紙切れ検出センサや、用紙位置検出センサ、温度センサ等の画像形成動作に必要な各種センサであり、それぞれで検出した各種の情報を検出信号としてＣＰＵ１に出力する。
用紙搬送部５は、図示しない用紙トレイに収納されている用紙を画像形成部８に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
【００１４】
画像読取部６は、図示しない原稿台にセットされた原稿に対して走査状に照明光を照射し、その反射光をＣＣＤ(Charge Coupled Device)センサによって受光してアナログ電圧信号に変換した後、当該アナログ電圧信号をデジタル変換することにより、原稿の画像データを生成するものである。なお、画像読取部６は、画像データをＣＰＵ１に出力し、一方、ＣＰＵ１は、原稿の画像データを読取画像データ記憶部７に記憶させる。
読取画像データ記憶部７（記憶部）は、例えばフラッシュメモリであり、ＣＰＵ１の要求に応じて原稿の画像データを記憶する一方、原稿の画像データをＣＰＵ１に出力する。
【００１５】
画像形成部８は、ＣＰＵ１の制御の下、読取画像データ記憶部７に記憶されている画像データに基づいて、用紙搬送部５から搬送される用紙にトナー像を転写し、当該トナー像の定着処理を行う。
【００１６】
図２は、操作表示部９の外観図である。なお、この操作表示部９は、本発明における表示部と操作部との両方の機能を有するものである。この図２に示すように、操作表示部９は、スタートキー１０、ストップキー１１、電源キー１２、テンキー（数値入力キー）１３、タッチパネル１４、クリアキー１５やその他の各種操作キー、を備えており、それぞれのキーの操作指示をＣＰＵ１に出力すると共に、ＣＰＵ１の制御の下、タッチパネル１４に種々の画面を表示する。
【００１７】
次に、上記のように構成された本実施形態に係る複写機Ａの動作について図３のフローチャートを参照して説明する。
【００１８】
最初に、複写機Ａによって原稿を複写しようとするユーザは、タッチパネル１４を操作することで必要に応じて各種印刷設定及び袋とじ印刷設定の指定を行う。
ＣＰＵ１は、操作表示部９のタッチパネル１４で各種印刷設定と共に、袋とじ印刷が実行されるための袋とじ印刷設定が指定されたか否かを判定し（ステップＳ１）、袋とじ印刷設定が指定されていないと判定した場合（ＮＯ）は、ＲＡＭ３に通常の印刷実行に対する設定値を記憶させ、操作表示部９のスタートキー１０の押下による印刷開始指示が入力されたか否かを判定し（ステップＳ２）、印刷開始指示が入力されていないと判定した場合（ＮＯ）には、印刷開始指示が入力されるまで待機し、印刷開始指示が入力されたと判定した場合（ＹＥＳ）は、画像読取部６に原稿の読み取りを行わせる。
【００１９】
画像読取部６は、原稿の読み取りが完了するとＣＰＵ１に、原稿の読み取りが完了した旨を出力し、ＣＰＵ１は原稿の読み取りを完了した旨が入力されたか否かを判定し（ステップＳ３）、原稿の読み取りを完了した旨が入力されていないと判定した場合（ＮＯ）、原稿の読み取りを完了した旨が入力されるまで待機し、原稿の読み取りを完了した旨が入力されたと判定した場合（ＹＥＳ）、ＲＡＭ３に記憶されている通常の印刷実行に対する設定値に基づいて、各種センサ群４、用紙搬送部５、読取画像データ記憶部７及び画像形成部８を制御して通常の4印刷処理を実行させる（ステップＳ１３）。
【００２０】
一方、ＣＰＵ１は、ステップＳ1で袋とじ印刷設定が指定されたと判定した場合（ＹＥＳ）、袋とじ印刷実行に対する設定値をＲＡＭ３に記憶させ、操作表示部９のスタートキー１０の押下による印刷開始指示が入力されたか否かを判定し（ステップＳ４）、印刷開始指示が入力されていないと判定した場合（ＮＯ）には、印刷開始指示が入力されるまで待機し、印刷開始指示が入力されたと判定した場合（ＹＥＳ）は、画像読取部６に原稿の読み取りを行わせる。画像読取部６は、読み取った原稿の画像データを、随時ＣＵＰ１０に出力する。ＣＰＵ１は、画像読取部６から入力された画像データを読取画像データ記憶部７に記憶させる。
【００２１】
原稿の読み取りが完了すると画像読取部６は原稿の読取が完了した旨をＣＰＵ１に出力する。ＣＰＵ１は、原稿の読み取りが完了した旨が入力されたか否かを判定し（ステップＳ５）、ＲＡＭ３に記憶されている袋とじ印刷実行に対する設定値に基づいて、操作表示部９に袋とじ印刷ページ指定画面を表示するように指示する。操作表示部９は、タッチパネル１４に袋とじ印刷ページ指定画面を表示する（ステップＳ６）。
【００２２】
図４に、タッチパネル１４に表示される袋とじ印刷ページ指定画面の一例を示す。袋とじ印刷ページ指定画面は、読み取りが完了した原稿に対して、袋とじ印刷の開始ページと終了ページとをユーザが指定する為の画面であり、ユーザは、テンキー１３を操作することにより開始ページと終了ページを入力する。開始ページと終了との間のページは、袋とじ印刷対象ページとなる。
【００２３】
ＣＰＵ１は、袋とじページ指定画面に開始ページと終了ページが入力され、かつ「決定」キー１６の押下による袋とじ印刷対象ページが指定されたか否かを判定し（ステップＳ７）、袋とじ対象ページが指定されていないと判定した場合は、袋とじページ指定画面に開始ページと終了ページが入力され、かつ「決定」キー１６の押下による袋とじ印刷対象ページの指定が行われるまで待機し、袋とじ対象ページが指定されたと判定した場合は、ＲＡＭ３に開始ページと終了ページを記憶させる。
【００２４】
そして、ＣＰＵ１は、タッチパネル１４にプレビュー要否選択画面を表示させる。図５に、タッチパネル１４に表示されるプレビュー要否選択画面の一例を示す。プレビュー要否選択画面は、袋とじされた冊子形式の原稿画像をプレビュー表示させるか否かを、「はい」キー１７または「いいえ」キー１８を押下することで、ユーザに選択させる画面である。
【００２５】
ＣＰＵ１は、「いいえ」キー１８の押下による操作指示がタッチパネル１４から入力されると、袋とじされた冊子形式の原稿画像をプレビュー表示させず、ＲＡＭ３に記憶された開始ページと終了ページ及び読取画像データ記憶部７に記憶された原稿の画像データに基づいて、ステップＳ１３の印刷処理を各種センサ群４、用紙搬送部５、読取画像データ記憶部７及び画像形成部８に実行させる。
ＣＰＵ１は、「はい」キー１７押下の操作指示がタッチパネル１４から入力された場合、ＲＡＭ３に記憶されている開始ページと終了ページ及び読取画像データ記憶部７に記憶されている原稿の画像データに基づいて、袋とじされた冊子形式の原稿画像のプレビュー画面（閉状態プレビュー画面）を形成し、操作表示部９に閉状態プレビュー画面をタッチパネル１４に表示させる（ステップＳ８）。
【００２６】
図６を用いて、開始ページをＰ２（第２ページ）及び終了ページをＰ５（第５ページ）とした場合の閉状態プレビュー画面を説明する。
図６（ａ）は、Ｐ１（第１ページ）からＰ６（第６ページ）まで存在する原稿に対して、印刷対象ページがＰ２とＰ５との間のページであることを示した図である。
図６（ｂ）は、図６（ａ）で示した印刷対象ページに基づいてステップＳ８で表示される閉状態プレビュー画面の一例であり、「開く」キー１９が表示される。袋とじ印刷対象ページであるＰ２、Ｐ３、Ｐ４及びＰ５は、図６（ｂ）に示す通り、Ｐ２が袋とじの外側の左側、Ｐ３が外側の右側、Ｐ４が内側の左側、Ｐ５が内側の右側に表示される。
【００２７】
ＣＰＵ１は、閉状態プレビュー画面の表示期間中に、操作表示部９から「開く」キー１９の押下による表示切替指示が入力されたか否かを判定し（ステップＳ９）、「開く」キー１９の押下による表示切替指示が入力されていないと判定した場合（ＮＯ）、「開く」キー１９の押下による表示切替指示が入力されるまで、操作表示部９に閉状態プレビュー画面を表示させる。
【００２８】
ＣＰＵ１は、「開く」キー１９の押下による表示切替指示が入力されたと判定した場合（ＹＥＳ）は、ＲＡＭ３に記憶されている開始ページと終了ページ及び読取画像データ記憶部７に記憶されている原稿の画像データに基づいて、袋とじを開いた冊子形式のプレビュー画面（開状態プレビュー画面）を形成し、操作表示部９に開状態プレビュー画面をタッチパネル１４に表示するように指示を行い、操作表示部９はタッチパネル１４に開状態プレビュー画面を表示する（ステップＳ１０）。
図６を用いて、開始ページをＰ２（第２ページ）及び終了ページをＰ５（第５ページ）とした場合の開状態プレビュー画面を説明する。
図６（ｃ）は、図６（ａ）で示した印刷対象ページに基づいてステップＳ１０で表示される開状態プレビュー画面であり、「閉じる」キー２０が表示される。図６（ｃ）に示す通り、Ｐ４は開かれた袋とじの左側、Ｐ５は開かれた袋とじの右側に表示される。
【００２９】
ＣＰＵ１は、操作表示部９から「閉じる」キー２０の押下による表示切替指示が入力されたか否かを判定し（ステップＳ１１）、「開じる」キー２０の押下による表示切替指示が入力されたと判定した場合は（ＹＥＳ）、ステップＳ８を実行する。ＣＰＵ１が、「開じる」キー２０の押下による表示切替指示が入力されていないと判定した場合（ＮＯ）は、クリアキー１５の押下によるプレビュー画面消去指示が入力されたか否かを判定し（ステップＳ１２）、クリアキー１５の押下によるプレビュー画面消去指示が入力されていないと判定した場合（ＮＯ）は、「開く」キー１９の押下による表示切替指示またはクリアキー１５の押下によるプレビュー画面消去指示が入力されるまで、操作表示部９に開状態プレビュー画面を表示させたまま待機する。
【００３０】
ＣＰＵ１が、クリアキー１５の押下によるプレビュー画面消去指示が入力されたと判定した場合（ＹＥＳ）、ＲＡＭ３に記憶された開始ページと終了ページに基づいて、ステップＳ１３の印刷処理の実行を指示する。
【００３１】
以上のように、本実施形態に係る複写機Ａによれば、ユーザによって指定された開始ページと終了ページ及び原稿の画像データに基づいて、袋とじ印刷対象ページが袋とじされた冊子形式の閉状態プレビュー画面と、及び袋とじを開いた冊子形式の開状態プレビュー画面をタッチパネル１４に表示を行う。従って、従来実際に袋とじ印刷を行い、製本処理した段階でないと、仕上がり状態を確認することができなかったが、本実施形態に係る複写機Ａでは、袋とじ印刷の際に、タッチパネル１４に閉状態プレビュー画面と開状態プレビュー画面が表示されることで、袋とじされた冊子形式の原稿の状態を事前に確認することが出来る。
【００３２】
なお、上記実施形態は、複写機に関するものであるが、これに限らず、プリンタにも流用するこが可能である。上記実施形態では、複写機Ａのタッチパネル１４にプレビュー画面を表示させたが、プリンタ（印刷装置）へ流用する場合は、本発明の印刷制御プログラムを備えるデバイスドライバを、プリンタに印刷ジョブを出力するパーソナルコンピュータ（電子機器）に実行させることで、パーソナルコンピュータに接続しているディスプレイへ、袋とじされた冊子形式の原稿画像をプレビュー表示させることが可能となる。
【図面の簡単な説明】
【００３３】
【図１】本発明の一実施形態に係る複写機Ａの機能ブロック図である。
【図２】本発明の一実施形態に係る複写機Ａにおける操作表示部９の外観図である。
【図３】本発明の一実施形態に係る複写機Ａの動作を示すフローチャートである。
【図４】本発明の一実施形態に係る複写機Ａのタッチパネル１４に表示される袋とじ印刷ページ指定画面の一例である。
【図５】本発明の一実施形態に係る複写機Ａのタッチパネル１４に表示されるプレビュー要否選択画面の一例である。
【図６】本発明の一実施形態に係る複写機Ａのタッチパネル１４に表示される閉状態プレビュー画面及び開状態プレビュー画面の一例である。
【符号の説明】
【００３４】
Ａ…複写機、１…ＣＰＵ、２…ＲＯＭ、３…ＲＡＭ、４…各種センサ群、５…用紙搬送部、６…画像読取部、７…読取画像データ記憶部、８…画像形成部、９…操作表示部、１０…スタートキー、１１…ストップキー、１２…電源キー、１３…テンキー、１４…タッチパネル、１５…クリアキー、１６…「決定」キー、１７…「はい」キー、１８…「いいえ」キー、１９…「開く」キー、２０…「閉じる」キー
【図１】
2008276096.tif 000003
【図２】
2008276096.tif 000004
【図３】
2008276096.tif 000005
【図４】
2008276096.tif 000006
【図５】
2008276096.tif 000007
【図６】
2008276096.tif 000008